(57)【特許請求の範囲】
【請求項１】
互いに隣接する一方の空間と他方の空間を仕切る仕切壁の前記一方の空間側には引戸の幅に対応して該引戸の移動方向に延在する袖壁が形成された開口部に開口枠が取り付けられた取付構造であって、前記一方の空間側において前記袖壁で狭められた開口幅に相当する幅寸法を有する第１の枠体と、前記開口部の前記他方の空間側の開口幅に相当する幅寸法を有する引戸枠である第２の枠体とがそれぞれ独立した別部材として準備され、前記第２の枠体は前記他方の空間側から前記開口部に挿入してその先端を前記袖壁に当接させた状態で固定され、前記第１の枠体は他方の空間側から挿入してその一方の縦枠で上記状態で固定された第２の枠体の挿入先端側の縁を覆う状態にして固定されることを特徴とする開口枠の取付構造。
【発明の詳細な説明】
【０００１】
【発明の属する技術分野】
本発明は、仕切壁の開口部の一方の空間側には戸、襖、障子などの片引戸を納める引戸枠を取り付け、他方の空間側にはドア枠などの異なる枠体を取り付けてなる開口枠の取付構造に関するものである。
【０００２】
【従来の技術】
従来、二つの部屋を仕切る仕切壁の開口部の一方の空間側に引戸枠を入れて固定し、片引戸を設ける場合、敷居、鴨居の袖壁に当たる部分を欠き込んで取り付けることが一般的である。この際、敷居、鴨居、縦枠などは、それぞれの部屋に合った化粧が施される。
【０００３】
図３は、従来技術に係る引戸枠の例を示す横断面図である。図４は、図３のＹ−Ｙ線縦断面図である。図３に示すように、従来の引戸枠１００は、洋室１０１と和室１０２を仕切る仕切壁１０３の開口部１０４に設けられる。仕切壁１０３は、たとえば柱１０５の両外側に石膏ボードなどの壁板１０６を張り付けて形成される。さらに、仕切壁１０３には袖壁１１４が形成され、袖壁１１４は内部に小柱１１４ａを有する。壁板１０６には、それぞれの部屋の和洋様式に応じて図示していない装飾布または装飾シートなどが張られることが一般的である。
【０００４】
引戸枠１００は、敷居１０７、縦枠（大）１０８、縦枠（小）１０９、見切り方立１１０および鴨居１１１（図４に表示）などの部材を組み立てて形成され、当て木１１２、１１３を介して開口部１０４に固定される。敷居１０７および鴨居１１１は、袖壁１１４に当たる部分を切り欠いて、すなわち線１１５ａ〜１１５ｄに沿って切り欠かれたものが使用される。引戸枠の洋室１０１側には溝１１６が形成され、溝１１６は縦枠（大）１０８、見切り方立１１０および鴨居１１１に設けられる。
【０００５】
形成された溝１１６にはケーシング１１７の基端側が嵌入される。敷居１０７、縦枠（大）１０８、縦枠（小）１０９および鴨居１１１などには和風の化粧が施される。ケーシング１１７には洋風の化粧が施される。なお、図４において、符号１１８は鴨居１１１を横木１１９に取り付けるための当て木、符号１２０は洋室側の床板、符号１２１は和室側の畳である。
【０００６】
【発明が解決しようとする課題】
しかしながら、敷居１０７や鴨居１１１は、略仕切壁１０３の壁厚に相当する幅の板を用いて袖壁に当たる部分が切り欠かれて形成されるので片引戸の右勝手と左勝手とでは形状が異なり、左右勝手兼用とすることはできなかった。さらに、引戸枠１００が洋室１０１と和室１０２の間の仕切壁１０３に形成された開口部１０４に設けられる場合、和風の化粧を施した縦枠（大）１０８、縦枠（小）１０９、敷居１０７および鴨居１１１などがそのまま洋室１０１側に露出し、洋室１０１側に設置された建具や枠に施された化粧と異なることになり、見た目に違和感があった。さらに、敷居１０７や鴨居１１１は、袖壁に当たる部分が欠き込まれるので、加工に手間がかかり、欠き込み加工による材料ロスも発生していた。
【０００７】
本発明は、引戸の左右両勝手に兼用でき、かつ互いに隣接する一方の空間と他方の空間のそれぞれの生活空間様式に合わせることができることを課題とする。
【０００８】
【課題を解決するための手段】
上記課題を解決するため、本発明は、互いに隣接する一方の空間と他方の空間を仕切る仕切壁の前記一方の空間側には引戸の幅に対応して該引戸の移動方向に延在する袖壁が形成された開口部に開口枠が取り付けられた取付構造であって、前記一方の空間側において前記袖壁で狭められた開口幅に相当する幅寸法を有する第１の枠体と、前記開口部の前記他方の空間側の開口幅に相当する幅寸法を有する引戸枠である第２の枠体とがそれぞれ独立した別部材として準備され、前記第２の枠体は前記他方の空間側から前記開口部に挿入してその先端を前記袖壁に当接させた状態で固定され、前記第１の枠体は他方の空間側から挿入してその一方の縦枠で上記状態で固定された第２の枠体の挿入先端側の縁を覆う状態にして固定されることを特徴とする。
【０００９】
このようにすることにより、第２の枠体は他方の空間側から開口部に挿入され固定される。さらに、第２の枠体は袖壁の躯体または袖壁の壁面に当接するように設けられる。こうすることにより第２の枠体は、左右の形状を同じにすることができ、片引戸の左勝手と右勝手の両方に兼用できる。同様に、第１の枠体についても一方の空間側から開口部に挿入され固定されるので、片引戸の左勝手と右勝手の両方に兼用するときは、取り付け時の加工、たとえば縁側の切り欠き加工をする前の枠体を準備しておき、片引戸の左勝手または右勝手に応じて取り付けのための加工をすることにより両勝手に兼用できる。
【００１０】
さらに、第１の枠体と第２の枠体は分割され各々別々に仕切壁の開口部に挿入され固定されるので、第１の枠体は一方の空間側の生活空間様式（洋式、和式など）に合わせることができ、第２の枠体は他方の空間側の生活空間様式に合わせることができる。また、片引戸についても、その一方の空間側から見える面を一方の空間側の生活空間様式に合った化粧を施し、片引戸の他方の空間側から見える面を他方の空間側の生活空間様式に合った化粧を施すことにより、引戸枠の外観に調和させることができる。
【００１１】
さらに、第１の枠体は第１の枠体の第２の枠体に対向する縁側が第２の枠体の第１の枠体に対向する縁側を覆うように形成されるので、一方の空間側から開口部を見たときに一方の空間側の生活空間様式として見え、他方の空間側の生活空間様式は見えない。反対に、他方の空間側から開口部を見たときには他方の空間の生活空間様式として見える。このように、互いに隣接する一方の空間と他方の空間のそれぞれの生活空間様式に合った外観とすることができ違和感のないものとすることができる。また、第２の枠体は袖壁に当たる部分を欠き込む必要がないので、加工に手間がかからず材料ロスも発生しない。
【００１２】
次に本発明を構成する各要件についてさらに詳しく説明する。本発明の開口枠は、一方の空間と他方の空間の間を仕切る仕切壁に形成された開口部に設けられる。第２の枠体は引戸枠として構成され、一方の空間と他方の空間の使用目的に応じて戸、襖、障子などが適宜選定され入れられるものである。一方の空間と他方の空間は、洋室、和室、玄関、その他の部屋などである。
【００１３】
袖壁は、仕切壁の壁面に平行な方向あるいは引戸の移動方向と同じ方向に形成され、仕切壁の厚みから引戸の収納空間の壁への入り込み量を引いた大きさである。袖壁の躯体は袖壁を形成する構造部材である小柱、間柱、胴縁などである。袖壁の壁面は小柱、間柱、胴縁などの構造部材の上に張られた板材の面である。第１の枠体と第２の枠体は四辺に枠部材のあるものや三辺に枠部材のあるものなどを含む。第２の枠体は袖壁の躯体または壁面に当接し、仕切壁から極端に突出しないように必要最小限の幅とし材料を節約する。
【００１４】
【発明の実施の形態】
以下、本発明に係る開口枠の取付構造の実施形態を図面に基づいて詳細に説明する。なお、図１、２において、同一または同等部分には同一符号を付けて示す。
【００１５】
図１は、本発明に係る開口枠の取付構造の一実施形態を示す横断面図である。図２は、図１のＸ−Ｘ線縦断面図である。図１、２において、引戸枠の幅、高さはいずれも実際の断面形状よりも縮小されて描かれている。
【００１６】
図１に示すように、開口枠１は、互いに隣接する洋室（一方の空間）５２と和室（他方の空間）５４の間を仕切る仕切壁５６に形成された開口部５８に設けられる。仕切壁５６は、柱６２と、その両外側に張られた石膏ボードなどの壁板６４とを有する。さらに、仕切壁５６には洋室５２側に片引戸の幅Ｗに対応し片引戸の移動方向４１に延在する袖壁２９が形成される。袖壁２９の躯体は袖壁２９を形成する構造部材である小柱３４や図示していない胴縁などである。
【００１７】
さらに、開口枠１は、洋室５２側から開口部５８に挿入され固定される第１の枠体３と、和室５４側から開口部５８に挿入され固定される第２の枠体１６とを備える。第１の枠体３の第２の枠体１６に対向する縁側５は第２の枠体１６の第１の枠体３に対向する縁側１８を覆う。第２の枠体１６は袖壁２９の躯体である小柱３４に当接するように設けられる。
【００１８】
第１の枠体３は、三方に部材を有する門形状をしており、見切り縦枠７と、この見切り縦枠７に対向する見切り方立９と、これら二つの部材を連結する見切り上枠１１（図２に表示）とを有する。さらに、これら部材の前端面にはケーシング１３が固定される。ケーシング１３は、断面Ｌ字状である。見切り縦枠７、見切り方立９および見切り上枠１１の洋室側端面には、各々溝１４が形成されケーシング１３の長手片基端側が嵌入される。見切り縦枠７、見切り方立９、見切り上枠１１およびケーシング１３には洋風の化粧が施される。
【００１９】
第２の枠体１６は、四方に部材を有する四角形の引戸枠であり、縦枠２０と、この縦枠２０に対向する縦枠２２と、これら二つの部材を連結する敷居２４および鴨居２６（図２に表示）とを有する。縦枠２０、縦枠２２、敷居２４および鴨居２６は四方枠を形成し、四方枠を形成する四つの部材は同一の幅である。さらに、第２の枠体１６は袖壁の躯体である小柱３４に当接するとともに、仕切壁５６の表面５７から、いわゆる散り量、たとえば１５ｍｍ程突出する。そして、縦枠２０、縦枠２２、敷居２４および鴨居２６には和風の化粧が施される。
【００２０】
また、片引戸の一方の面３８は洋風の化粧が施され、他方の面３９は和風の化粧が施される。なお、第２の枠体１６は柱６２と横材４６に固定され、第１の枠体３は柱６２に対しては縦当て木４２を介して、小柱３４に対しては直接に、横材４６に対しては上当て木４４を介して固定される。また、符号４８は床板、５０は畳を示す。また、図２に示すように、敷居２４、鴨居２６には、各々溝２５、２７が形成され片引戸３７が納められる。
【００２１】
以上の構造を有する本実施形態の開口枠１は、次のように作用する。すなわち、図１において、第２の枠体１６は和室５４側から開口部５８に挿入され固定され、かつ袖壁の小柱３４（躯体）に当接するように設けられるので、左右の形状を同じにすることができ、片引戸３７の左右両勝手に兼用可能である。
【００２２】
さらに、第１の枠体３と第２の枠体１６とは分割され各々別々に仕切壁の開口部５８に挿入され固定されるので、第１の枠体３は洋室５２側の生活空間様式に合わせることができ、第２の枠体１６は和室５４側の生活空間様式に合わせることができる。そして、第１の枠体３の第２の枠体１６に対向する縁側５は第２の枠体１６の第１の枠体３に対向する縁側１８を覆うので、洋室５２側から開口部５８を見たときに洋室５２側の生活空間様式として見え、和室５４側の生活空間様式は見えない。同様に、和室５４側から開口部５８を見たときに、和室５４側の生活空間様式として見え、洋室５２側の生活空間様式は見えにくい。したがって、互いに隣接する洋室と和室のそれぞれの生活空間様式に合った外観とすることができ違和感のないものとすることができる。また、第２の枠体１６は袖壁２９に当たる部分を欠き込む必要がないので、加工に手間がかからず材料ロスも発生しない。
【００２３】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００２４】
【発明の効果】
本発明によれば、引戸の左右両勝手に兼用でき、かつ互いに隣接する一方の空間と他方の空間のそれぞれの生活空間様式に合わせることができる。
【図面の簡単な説明】
【図１】  本発明に係る開口枠の取付構造の一実施形態を示す横断面図である。
【図２】  図１のＸ−Ｘ線縦断面図である。
【図３】  従来技術に係る引戸枠の例を示す横断面図である。
【図４】  図３のＹ−Ｙ線縦断面図である。
【符号の説明】
１  開口枠
３  第１の枠体
５  縁側
１６  第２の枠体（引戸枠）
１８  縁側
２９  袖壁
３７  片引戸（引戸）
４１  移動方向
５２  洋室（一方の空間）
５４  和室（他方の空間）
５６  仕切壁
５８  開口部
Ｗ  片引戸の幅
【図１】
0003697497.tif 000002
【図２】
0003697497.tif 000003
【図３】
0003697497.tif 000004
【図４】
0003697497.tif 000005